【事件の表示】
　特願２００２−　２９５８５「送信電力補正方法、移動通信システムおよび移動局」拒絶査定不服審判事件〔平成１５年　８月２２日出願公開、特開２００３−２３４６９６〕について、次のとおり審決する。
【結　論】
　本件審判の請求は、成り立たない。
【理　由】
Ｉ．手続の経緯　
　本願は、平成１４年２月６日の出願であって、平成１７年１２月２８日付けで、平成１７年１１月２４日付けの手続補正を却下する決定及び拒絶査定がなされ、これに対して、平成１８年２月９日に拒絶査定不服審判が請求されるとともに、平成１８年３月１０日付けで手続補正がなされたものである。　
　
　
ＩＩ． 平成１８年３月１０日付けの手続補正についての補正却下の決定　
［補正却下の決定の結論］　
　平成１８年３月１０日付けの手続補正を却下する。　
　
［理由］　
１．補正内容　
（１）本件補正は、平成１７年１１月２４日付けの手続補正が却下されているので、補正前の特許請求の範囲（平成１７年４月２２日付けで補正）の記載：　
　
「【請求項１】基地局との間で無線通信を行う移動局における送信電力の制御方法であって、
　上記基地局から受信した信号の品質に応じて、使用すべきトランスポートブロックセットサイズと、上記基地局から当該移動局への送信電力を補正するための上記トランスポートブロックセットサイズに対応した補正値と、を決定する第１の工程、及び、
　上記第１の工程で決定したトランスポートブロックセットサイズと補正値とを上記基地局に通知する第２の工程を備え、　
　上記第１の工程において、上記トランスポートブロックセットサイズが最大値の場合、上記補正値として負の値を選択可能とした　
ことを特徴とする送信電力の制御方法。」を、　
　
「【請求項１】基地局とHSDPA(High Speed Downlink Packet Access)システムにより無線通信を行う移動局における通信方法であって、　
　上記基地局から受信した信号の品質が良好なほど大きな値が対応付けられたトランスポートブロックセットサイズと、　
　一のトランスポートブロックセットサイズに対応して、当該移動局に割当てられたデフォルトの送信電力値である０dBを含むように定められた下り送信電力の補正値と、　
の組み合わせを、上記受信した信号の品質に応じて選択する選択ステップと、　
　上記選択ステップにおいて選択されたトランスポートブロックセットサイズと下り送信電力の補正値との組み合わせを上記基地局に通知する通知ステップと、　
を有し、
　上記選択ステップは、トランスポートブロックセットサイズが最大値の場合のみ、上記受信した信号の品質が上記０dBに対応する信号の品質より良好であれば該受信した信号の品質に応じて複数の負の補正値の中のいずれか一の補正値を選択可能とした　
ことを特徴とする通信方法。」と補正することを含むものである。　　
　すなわち、本件補正は、請求項１において、　
　
ａ．「基地局との間で無線通信を行う移動局における送信電力の制御方法」を「基地局とHSDPA(High Speed Downlink Packet Access)システムにより無線通信を行う移動局における通信方法」と補正し、　
　
ｂ．「上記基地局から受信した信号の品質に応じて、使用すべきトランスポートブロックセットサイズと、上記基地局から当該移動局への送信電力を補正するための上記トランスポートブロックセットサイズに対応した補正値と、を決定する第１の工程」を、
「上記基地局から受信した信号の品質が良好なほど大きな値が対応付けられたトランスポートブロックセットサイズと、一のトランスポートブロックセットサイズに対応して、当該移動局に割当てられたデフォルトの送信電力値である０dBを含むように定められた下り送信電力の補正値と、の組み合わせを、上記受信した信号の品質に応じて選択する選択ステップ」と補正し、
　                                                               　
ｃ．「上記第１の工程で決定したトランスポートブロックセットサイズと補正値とを上記基地局に通知する第２の工程」を、
「上記選択ステップにおいて選択されたトランスポートブロックセットサイズと下り送信電力の補正値との組み合わせを上記基地局に通知する通知ステップ」と補正し、　
　
ｄ．「上記第１の工程において、上記トランスポートブロックセットサイズが最大値の場合、上記補正値として負の値を選択可能としたことを特徴とする送信電力の制御方法」を、「上記選択ステップは、トランスポートブロックセットサイズが最大値の場合のみ、上記受信した信号の品質が上記０dBに対応する信号の品質より良好であれば該受信した信号の品質に応じて複数の負の補正値の中のいずれか一の補正値を選択可能としたことを特徴とする通信方法」と補正するものである。　　
　
（２）そこで、本件補正が、特許法第１７条の２に規定する各要件を満たしているか否かを以下検討する。
ａ．は「HSDPA(High Speed Downlink Packet Access)システムにより」を加入するものであり、特許請求の範囲の限縮を目的とするものである。
ｂ．は、「トランスポートブロックセットサイズ」を「上記基地局から受信した信号の品質が良好なほど大きな値が対応付けられたトランスポートブロックセットサイズ」と限定し、「補正値」を「当該移動局に割当てられたデフォルトの送信電力値である０dBを含むように定められた下り送信電力の補正値」と限定するものであるから、特許請求の範囲の限縮を目的とするものである。
ｃ．は、「上記選択ステップにおいて選択されたトランスポートブロックセットサイズと下り送信電力の補正値との組み合わせを上記基地局に通知する通知ステップ」を明確にするものであり、実質的な内容は補正前と変わらない。
ｄ．は、「上記トランスポートブロックセットサイズが最大値の場合、」を「トランスポートブロックセットサイズが最大値の場合のみ、」と限定し、「上記補正値として負の値を選択可能とした」を「上記受信した信号の品質が上記０dBに対応する信号の品質より良好であれば該受信した信号の品質に応じて複数の負の補正値の中のいずれか一の補正値を選択可能とした」と限定するものであるから、特許請求の範囲の限縮を目的とするものである。
　そこで、本件補正後の請求項１に係る発明（以下、「補正発明」という。）が、特許出願の際に独立して特許を受けることができるものであるかについて、以下に検討する。　
　
２．刊行物の記載事項と刊行物記載の発明　
　原査定の拒絶の理由に引用された刊行物１（３ＧＰＰ，「３ｒｄ　Ｇｅｎｅｒａｔｉｏｎ　Ｐａｒｔｎｅｒｓｈｉｐ　Ｐｒｏｊｅｃｔ；　Ｔｅｃｈｎｉｃａｌ　Ｓｐｅｃｉｆｉｃａｔｉｏｎ　Ｇｒｏｕｐ　Ｒａｄｉｏ　Ａｃｃｅｓｓ　Ｎｅｔｗｏｒｋ；　Ｈｉｇｈ　Ｓｐｅｅｄ　Ｄｏｗｎｌｉｎｋ　Ｐａｃｋｅｔ　Ａｃｃｅｓｓ；　Ｐｈｙｓｉｃａｌ　Ｌａｙｅｒ　Ａｓｐｅｃｔｓ（Ｒｅｌｅａｓｅ　５）」，　ＴＲ２５．８５８　Ｖ１．０．０）には、次の事項が記載されている。
　
（ａ）第１７頁「８．２．２．１　ＨＳ−ＤＳＣＨ　Ａｓｓｏｃｉａｔｅｄ　Ｕｐｌｉｎｋ　Ｄｅｄｉｃａｔｅｄ　Ｃｏｎｔｒｏｌ　Ｃｈａｎｎｅｌ」の第６−１４行　
「−　Ｍｅａｓｕｒｅｍｅｎｔ　ｆｅｅｄｂａｃｋ　ｉｎｆｏｒｍａｔｉｏｎ　
　Ｍｅａｓｕｒｅｍｅｎｔ　ｆｅｅｄｂａｃｋ　ｉｎｆｏｒｍａｔｉｏｎ　ｃｏｎｔａｉｎｓ　ｃｈａｎｎｅｌ　ｑｕａｌｉｔｙ　ｉｎｄｉｃａｔｏｒ　ｔｈａｔ　ｍａｙ　ｂｅ　ｕｓｅｄ　ｔｏ　ｓｅｌｅｃｔ　ｔｒａｎｓｐｏｒｔ　ｆｏｒｍａｔ　ａｎｄ　ｒｅｓｏｕｒｃｅ　ｂｙ　ＨＳ−ＤＳＣＨ　ｓｅｒｖｉｎｇ　Ｎｏｄｅ−Ｂ．　Ａ［５］ｂｉｔ　ｃｈａｎｎｅｌ　ｑｕａｌｉｔｙ　ｉｎｄｉｃａｔｏｒ　ｉｓ　ｃｏｄｅｄ　ａｎｄ　ｔｒａｎｓｍｉｔｔｅｄ　ｏｖｅｒ　ｔｗｏ　ｓｌｏｔｓ．　Ｔｈｅ　ｔｒａｎｓｍｉｓｓｉｏｎ　ｃｙｃｌｅ　ａｎｄ　ｔｉｍｉｎｇ　ｉｓ　ｄｅｔｅｒｍｉｎｅｄ　ｂｙ　ＵＴＲＡＮ　ａｎｄ　ｓｉｇｎａｌｌｅｄ　ｂｙ　ｈｉｇｈｅｒ　ｌａｙｅｒ．　Ｄｅｔａｉｌｓ　ｆｏｒ　ｍｅａｓｕｒｅｍｅｎｔ　ｆｅｅｄｂａｃｋ　ｐｒｏｃｅｄｕｒｅ　ｉｓ　ｄｅｓｃｒｉｅｄ　ｉｎ　ｓｅｃｔｉｏｎ　８．２．２．２．　
　Ｔｈｅ　ｃｈａｎｎｅｌ　ｑｕａｌｉｔｙ　ｉｎｄｉｃａｔｏｒ　ｃｏｎｓｉｓｔｓ　ｏｆ　ａ　ｒｅｃｏｍｍｅｎｄｅｄ　ＴＦＲＣ　ｐｒｏｖｉｄｅｄ　ｂｙ　ｔｈｅ　ＵＥ　ｔｏ　Ｎｏｄｅ−Ｂ．　Ｔｈｅ　ｒｅｃｏｍｍｅｎｄｅｄ　ＴＦＲＣ　ｉｓ　ｃｈｏｓｅｎ　ｂｙ　ｔｈｅ　ＵＥ　ｆｒｏｍ　ａ　ＴＦＲＣ　ｌｉｓｔ．　Ａｎ　ｅｘａｍｐｌｅ　ｏｆ　ＴＦＲＣ　ｒｅｆｅｒｅｎｃｅ　ｌｉｓｔ　ｉｓ　ｐｒｏｖｉｄｅｄ　ｓｅｃｔｉｏｎ　８．２．２．２．３．」　
「訳文：測定フィードバック情報　
　測定フィードバック情報は、ノードＢが使うＨＳ−ＤＳＣＨの伝送形式と資源を選択するために使用されるチャネル品質インジケータを含んでいる。５ビットのチャネル品質インジケータは、符号化され、２スロットに渡って送信される。チャネル品質インジケータの送信サイクルと送信タイミングは、ＵＴＲＡＮによって決定され、より高い層によって通知される。測定フィードバック手順の詳細は、セクション８．２．２．２に記述されている。　
　チャネル品質インジケータは、ＵＥによって規定される、ノードＢへの推奨ＴＦＲＣから成っている。推奨ＴＦＲＣは、ＴＦＲＣ参照リストから、ＵＥによって選ばれる。ＴＦＲＣ参照リストの例が、セクション８．２．２．２．３に規定されている。」　
　
（ｂ）第１８頁「８．２．２．２．１　ＵＥ　ｐｒｏｃｅｄｕｒｅ」の第３−４行　
「ＵＥ　ｍｅａｓｕｒｅｓ　ａ　ＤＬ　ｃｈａｎｎｅｌ　ｑｕａｌｉｔｙ　ｉｎｄｉｃａｔｏｒ　ｆｒｏｍ　Ｐ−ＣＰＩＣＨ．」　
「訳文：ＵＥは、Ｐ−ＣＰＩＣＨから、ダウンリンクチャネル品質インジケータを測定する。」　
　
（ｃ）第１８頁「８．２．２．２．１　ＵＥ　ｐｒｏｃｅｄｕｒｅ」の第７−１３行　
「Ｔｈｅ　ＵＥ　ｕｓｅｓ　ｔｈｅ　ＢＬＥＲｔｈｒｅｓｈｏｌｄ　　ｃｒｉｔｅｒｉａ　ｔｏ　ｄｅｔｅｒｍｉｎｅ　ｗｈｉｃｈ　ＴＦＲＣ　ｉｔ　ｉｓ　ａｂｌｅ　ｔｏ　ｒｅｃｅｉｖｅ　ｉｎ　ｇｉｖｅｎ　ｃｈａｎｎｅｌ　ｃｏｎｄｉｔｉｏｎ．　Ｉｆ　ｔｈｅ　ｃｈａｎｎｅｌ　ｑｕａｌｉｔｙ，　ｍｅａｓｕｒｅｄ　ｆｒｏｍ　Ｐ−ＣＰＩＣＨ　ｉｎｄｉｃａｔｅｄ　ｔｈａｔ　ＴＦＲＣＸ　ｗｏｕｌｄ  ｂｅ　ｒｅｃｅｉｖｅｄ　ｗｉｔｈ　ＢＬＥＲ＜ＢＬＥＲｔｈｒｅｓｈｏｌｄ　　ｗｉｔｈ　ＨＳ−ＤＳＣＨ　ｃｏｄｅ　ｃｈａｎｎｅｌ　ｐｏｗｅｒ　ｏｆｆｓｅｔ＜ｙｄＢ　ｉｎ　ａｄｄｉｔｉｏｎ　ｔｏ　ｔｈｅ　ｄｅｆａｕｌｔ　ｐｏｗｅｒ　ｌｅｖｅｌ，　ｂｕｔ　  ＴＦＲＣＸ＋１   ｗｏｕｌｄ　ｂｅ　ｒｅｃｅｉｖｅｄ　ｗｉｔｈ　  ＢＬＥＲ＞ＢＬＥＲｔｈｒｅｓｈｏｌｄ　 ，ｔｈｅｎ　ＵＥ　ｗｉｌｌ　ｒｅｐｏｒｔ　ＴＦＲＣＸ　ａｎｄ　ｔｈｅ　ｒｅｑｕｉｒｅｄ　ｐｏｗｅｒ　ｏｆｆｓｅｔ　ｙ　ｂａｃｋ　ｔｏ　ｔｈｅ　ｎｅｔｗｏｒｋ．　
　Ｔｈｅ　ＵＥ　ｓｈｏｕｌｄ　ｒｅｐｏｒｔ　ａ　ＴＦＲＣ　ｆｒｏｍ　ｔｈｅ　ｒｅｆｅｒｅｎｃｅ　ｌｉｓｔ　ｔｏｇｅｔｈｅｒ　ｗｉｔｈ　ａ　ｐｏｗｅｒ　ｏｆｆｓｅｔ　ａｔ　ｔｈｅ　ｔｒａｎｓｍｉｓｓｉｏｎ　ｔｉｍｉｎｇ　ｄｅｆｉｎｅｄ　ｂｙ　ｈｉｇｈｅｒ　ｌａｙｅｒ　ｓｉｇｎａｌｌｉｎｇ．」　
「訳文：ＵＥは、与えられたチャネル状態でどのＴＦＲＣを受信することができるかを決定するために、ＢＬＥＲ閾値基準を使用する。もし、Ｐ−ＣＰＩＣＨから測定されたチャネル品質が、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きなＢＬＥＲで受信されるであろうこと」を示していれば、ＵＥは、ＴＦＲＣＸと要求されたパワーオフセットｙをネットワークに報告する。　
　ＵＥは、より高い層のシグナリングにおいて規定される伝送タイミングで、参照リストからＴＦＲＣを、パワーオフセットと共に報告すべきである。」　
　
（ｄ）第１９頁「８．２．２．２．３　Ｒｅｆｅｒｅｎｃｅ　ＴＦＲＣ　ｌｉｓｔ　
　Ｏｎｌｙ　ｏｎｅ　ｒｅｆｅｒｅｎｃｅ　ＴＦＲＣ　ｌｉｓｔ　ｉｓ　ｓｐｅｃｉｆｉｅｄ，　ｔｈａｔ　ａｌｌ　ＵＥｓ　ｓｈｏｕｌｄ　ｕｓｅ　ｆｏｒ　ｃｒｅａｔｉｎｇ　ｔｈｅ　ｍｅａｓｕｒｅｍｅｎｔ　ｒｅｐｏｒｔ．　Ｅａｃｈ　ＴＦＲＣ　ｃｏｎｔａｉｎｓ　ｍｏｄｕｌａｔｉｏｎ，　ｔｒａｎｓｐｏｒｔ　ｂｌｏｃｋ　ｓｅｔ　ｓｉｚｅ，　ａｎｄ　ｎｕｍｂｅｒ　ｏｆ　ｃｏｄｅ　ｃｈａｎｎｅｌｓ．　
　Ｅｘａｍｐｌｅ　ｏｆ　ＴＦＲＣ　ｒｅｆｅｒｅｎｃｅ　ｌｉｓｔ　ｗｉｔｈ　６　ＴＦＲＣｓ　ｉｓ　ｓｈｏｗｎ　ｉｎ　Ｔａｂｌｅ３．」　　
「訳文：８．２．２．２．３　参照ＴＦＲＣリスト　
　すべてのＵＥが測定報告を作成するために使用すべき、唯一の参照ＴＦＲＣリストが、規定されている。各ＴＦＲＣは、変調方式とトランスポートブロックセットサイズと、コードチャネルの数を含んでいる。６つのＴＦＲＣを有するＴＦＲＣ参照リストの例が、表３に示されている。」　
　
（ｅ）第１９頁の表３には、６種類のＴＦＲＣが示されており、ＴＦＲＣとトランスポートブロックセットサイズは１対１に対応している。トランスポートブロックセットサイズについては、ＴＦＲＣ６の７２００が最大となっている。　
　　
（ｆ）第１９頁「８．２．２．２．４　Ｍｅａｓｕｒｅｍｅｎｔ　ｆｅｅｄｂａｃｋ　ｄｅｆｉｎｉｔｉｏｎ　
　Ｍｅａｓｕｒｅｍｅｎｔ　ｒｅｐｏｒｔ　ｃａｎ　ｔａｋｅ　ｕｐ　ｔｏ　［３２］　ｖａｌｕｅｓ．　Ｉｔ　ｃｏｎｔａｉｎｓ　ｏｎｅ　ＴＦＲＣ　ａｔ　ａ　ｔｉｍｅ　ｆｒｏｍ　ａｎｄ　ａ　ｐｏｗｅｒ　　ｏｆｆｓｅｔ　ｖａｌｕｅ．　
　Ａｎ　ｅｘａｍｐｌｅ　ｏｆ　ｐｏｓｓｉｂｌｅ　ＵＥ　ｍｅａｓｕｒｅｍｅｎｔ　ｒｅｐｏｒｔ　ｌｉｓｔ  　ｆｏｒ　６　ＴＦＲＣｓ　ａｎｄ　ｉｎｔｅｒｍｅｄｉａｔｅ　ｓｔｅｐｓ　ｏｆ　１ｄＢ　ｆｏｒ　ｐｏｗｅｒ　ｏｆｆｓｅｔ　ａｒｅ　ｓｈｏｗｎ　ｉｎ　Ｔａｂｌｅ４．」　
「訳文：８．２．２．２．４　測定フィードバック定義　
　測定報告は３２の値を取りうる。それは、参照リストからの一つのＴＦＲＣと一つのパワーオフセット値とを一度に含んでいる。パワーオフセットの間隔が１ｄＢで、６つのＴＦＲＣに対する可能性のあるＵＥ測定報告リストの例が、表４に示されている。」　
　
（ｇ）第１９−２０頁の表４には、６種類のＴＦＲＣに対するパワーオフセットが示されており、いずれのＴＦＲＣについても、すなわちいずれのトランスポートブロックセットサイズについても、パワーオフセットは複数の正またはゼロの値である。トランスポートブロックセットサイズが最大の７２００であるＴＦＲＣ６については、パワーオフセットが、２ｄＢ、１ｄＢ、０ｄＢの３種類が示されている。　
　
　刊行物１は、無線アクセスネットワークにおいてノードＢからＵＥに向かう方向のデータ伝送に関する技術であるＨｉｇｈ　Ｓｐｅｅｄ　Ｄｏｗｎｌｉｎｋ　Ｐａｃｋｅｔ　Ａｃｃｅｓｓ（ＨＳＤＰＡ）のＰｈｙｓｉｃａｌ　Ｌａｙｅｒ　Ａｓｐｅｃｔｓ、つまり物理層の様相を記載したものである。　
　また、パワーオフセットの０ｄＢは、「ＵＥに割り当てられたデフォルトの送信電力値」を意味する。　
　
　したがって、刊行物１には次の発明（以下、この発明を「刊行物１記載の発明」という。）が記載されていると認められる。　
　
「ノードＢとＨＳＤＰＡシステムにより無線通信を行うＵＥにおける通信方法であって、
　参照ＴＦＲＣリストにおいて、ＴＦＲＣはトランスポートブロックセットサイズと１対１に対応しており、　
　ＵＥ測定報告リストにおいて、一のＴＦＲＣに対応して、当該ＵＥに割り当てられたデフォルトの送信電力値である０ｄＢを含むパワーオフセットが定められており、　
　ＵＥは、Ｐ−ＣＰＩＣＨから、ダウンリンクチャネル品質インジケータを測定し、　　
　もし、Ｐ−ＣＰＩＣＨから測定されたチャネル品質が、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きいＢＬＥＲで受信されるであろうこと」を示していれば、ＵＥは、ＴＦＲＣＸと要求されたパワーオフセットｙをネットワークに報告し、　
　パワーオフセットを含むチャネル品質インジケータを使用して、ノードＢが使うＨＳ−ＤＳＣＨの伝送形式と資源を選択し、　
　上記ＵＥ測定報告リストは、いずれのＴＦＲＣについても、すなわちいずれのトランスポートブロックセットサイズについても、パワーオフセットは複数の正またはゼロの値であり、トランスポートブロックセットサイズが最大の７２００であるＴＦＲＣ６については、パワーオフセットが、２ｄＢ、１ｄＢ、０ｄＢの３種類である、　
　通信方法。」　
　　
　同じく原査定の拒絶の理由に引用された刊行物２（特開平１１−１５５１７２号公報）には、次の事項が記載されている。　
　
（ｈ）段落番号【０００２】に「従来、この種の無線システムにおける電力制御回路としては、例えば特開平８−１４９５６３号公報に開示されるように、コードレス電話機の子機が親機から遠くに離れた場合に送信電力を上げ、また、子機が親機に近づいたときに送信電力を下げることによって、常に一定の品質を保った通信を行えるようにしたものがある。」と記載されている。　
　
　本願出願前に頒布された刊行物３（特開２００１−２２３６３６号公報）には、次の事項が記載されている。　
　
（ｉ）段落番号【０００９】に、　
「送信電力の下限値は、通信品質が非常に良好であってその送信電力が通信動作を行うのに十分小さな値にまで下げられた移動端末が突然移動を始めて通信品質が劣化した場合に、送信電力の増加制御が通信品質の劣化に追従できなくなることを防ぐために設けられた値であり、………（後略）」と記載されている。　
　
（ｊ）段落番号【００２２】−【００２３】に、　
「上記のように構成された本発明においては、移動端末から送信電力を下げる要求が送出された場合、送信電力減少後の基地局における送信電力が予め決められた下限値よりも小さなものとなる場合でも、移動端末における受信品質が予め決められたしきい値以上であれば、送信電力が下限値により制限されずに該下限値よりも小さく設定される。　
　これにより、過剰な送信電力で送信動作が行われることがなくなり、他の移動端末に対する干渉波電力が低減するとともに、他の移動端末に配分できる電力量が増加する。」と記載されている。　
　
３．補正発明と刊行物１記載の発明との比較　　
　補正発明と刊行物１記載の発明とを比較する。　
　刊行物１記載の発明の「ノードＢ」は、補正発明の「基地局」に相当する。　
　ＵＥはユーザ装置を表す略語であるから、刊行物１記載の発明の「ＵＥ」は、補正発明の「移動局」に相当する。　
　刊行物１記載の発明において、ＵＥがネットワークに報告するパワーオフセットｙは、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きいＢＬＥＲで受信されるであろう」というものであり、またパワーオフセットを含むチャネル品質インジケータを使用して、ノードＢのＨＳ−ＤＳＣＨの伝送形式と資源を選択するから、刊行物１記載の発明の「パワーオフセットｙ」は、補正発明の「下り送信電力の補正値」に相当する。
　刊行物１記載の発明では、Ｐ−ＣＰＩＣＨから測定されたチャネル品質が、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きいＢＬＥＲで受信されるであろうこと」を示していれば、ＵＥは、ＴＦＲＣＸと要求されたパワーオフセットｙをネットワークに報告するから、チャネル品質が良いほど、ＵＥが報告する「ＴＦＲＣＸ」の「Ｘ」が大きくなる。「ＴＦＲＣＸ」の「Ｘ」が大きいと、ＴＦＲＣ参照リストにおけるトランスポートブロックセットサイズも大きい。したがって、刊行物１記載の発明において、基地局から受信した信号の品質が良好なほど、大きな値のトランスポートブロックセットサイズが対応付けられている。　
　したがって、刊行物１記載の発明の　
「参照ＴＦＲＣリストにおいて、ＴＦＲＣはトランスポートブロックセットサイズと１対１に対応しており、　
　ＵＥ測定報告リストにおいて、一のＴＦＲＣに対応して、当該ＵＥに割り当てられたデフォルトの送信電力値である０ｄＢを含むパワーオフセットが定められており、　
　ＵＥは、Ｐ−ＣＰＩＣＨから、ダウンリンクチャネル品質インジケータを測定し、　　
　もし、Ｐ−ＣＰＩＣＨから測定されたチャネル品質が、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きいＢＬＥＲで受信されるであろうこと」を示していれば、ＵＥは、ＴＦＲＣＸと要求されたパワーオフセットｙをネットワークに報告し、」は、　
　補正発明の「上記基地局から受信した信号の品質が良好なほど大きな値が対応付けられたトランスポートブロックセットサイズと、　　
　一のトランスポートブロックセットサイズに対応して、当該移動局に割当てられたデフォルトの送信電力値である０dBを含むように定められた下り送信電力の補正値と、　
の組み合わせを、上記受信した信号の品質に応じて選択する選択ステップと、　
　上記選択ステップにおいて選択されたトランスポートブロックセットサイズと下り送信電力の補正値との組み合わせを上記基地局に通知する通知ステップ」に相当する。
　
　以上の点を考慮すれば、両者の一致点・相違点は、次のとおりである。　
　
　（一致点）　　
「基地局とＨＳＤＰＡシステムにより無線通信を行う移動局における通信方法であって、
　上記基地局から受信した信号の品質が良好なほど大きな値が対応付けられたトランスポートブロックセットサイズと、　
　一のトランスポートブロックセットサイズに対応して、当該移動局に割当てられたデフォルトの送信電力値である０dBを含むように定められた下り送信電力の補正値と、の組み合わせを、
　上記受信した信号の品質に応じて選択する選択ステップと、　　
　上記選択ステップにおいて選択されたトランスポートブロックセットサイズと下り送信電力の補正値との組み合わせを上記基地局に通知する通知ステップと、　
を有する、　
　通信方法。」である点。　
　　
　（相違点）　　
　補正発明では、選択ステップは、トランスポートブロックセットサイズが最大値の場合のみ、受信した信号の品質が０dBに対応する信号の品質より良好であれば該受信した信号の品質に応じて複数の負の補正値の中のいずれか一の補正値を選択可能としたのに対して、刊行物１記載の発明では、選択ステップは、いずれのトランスポートブロックセットサイズにおいても、複数の正またはゼロの補正値の中のいずれか一の補正値を選択可能である点。　　
４．相違点についての検討　　
　刊行物３では、基地局の送信電力について一応の下限値を設けているが、移動端末から送信電力を下げる要求が送出され、且つ移動端末における受信品質が予め決められたしきい値以上であれば、送信電力が下限値により制限されずに該下限値よりも小さく設定される。そしてこのことにより、過剰な送信電力で送信動作が行われることがなくなり、他の移動端末に対する干渉波電力が低減するとともに、他の移動端末に配分できる電力量が増加する。
　
　したがって、刊行物１記載の発明のトランスポートブロックセットサイズが最大の７２００であるＴＦＲＣ６については、これ以上のトランスポートブロックセットサイズは用意されていないのであるから、補正値が０ｄＢとしてもなお受信品質が良好であれば、さらに送信電力を下げる、換言すれば補正値として負の値が選択できるようにすることは、刊行物３の記載から容易に想到できたことと認められる。　
　
　したがって、補正発明は、本願出願前に頒布された上記刊行物１および刊行物３に記載された発明に基づいて当業者が容易に発明をすることができたものであるから、特許法第２９条第２項の規定により特許出願の際に独立して特許を受けることができないものである。　
　
５．結び　　
  以上のとおり、本件補正は特許法第１７条の２第５項において準用する特許法第１２６条第５項の規定に違反するものであり、特許法第１５９条第１項において準用する特許法第５３条第１項の規定により、却下すべきものである。　
　
　
ＩＩＩ．本願発明について　
　
１．本願発明　　
　上記のとおり、平成１７年１１月２４日付けの手続補正は却下されたので、本願の請求項１に係る発明（以下、「本願発明」という。）は、平成１７年４月２２日付けの手続補正書の特許請求の範囲の請求項１に記載された事項により特定される次のとおりのものである。　
　
「【請求項１】基地局との間で無線通信を行う移動局における送信電力の制御方法であって、　
　上記基地局から受信した信号の品質に応じて、使用すべきトランスポートブロックセットサイズと、上記基地局から当該移動局への送信電力を補正するための上記トランスポートブロックセットサイズに対応した補正値と、を決定する第１の工程、及び、　
　上記第１の工程で決定したトランスポートブロックセットサイズと補正値とを上記基地局に通知する第２の工程を備え、　
　上記第１の工程において、上記トランスポートブロックセットサイズが最大値の場合、上記補正値として負の値を選択可能とした　
ことを特徴とする送信電力の制御方法。」　
　　
２．引用刊行物の記載事項と刊行物記載の発明
　原査定の拒絶の理由に引用された引用刊行物の記載事項および刊行物記載の発明は、前記「ＩＩ．２．」に記載したとおりである。　
　
３．本願発明と刊行物１記載の発明との比較　
　本願発明と刊行物１記載の発明とを比較する。　
　刊行物１記載の発明の「ノードＢ」は、本願発明の「基地局」に相当する。　
　ＵＥはユーザ装置を表す略語であるから、刊行物１記載の発明の「ＵＥ」は、本願発明の「移動局」に相当する。　
　刊行物１記載の発明の「パワーオフセットｙ」は、本願発明の「上記基地局から当該移動局への送信電力を補正するための上記トランスポートブロックセットサイズに対応した補正値」に相当する
　刊行物１記載の発明の「参照ＴＦＲＣリストにおいて、ＴＦＲＣはトランスポートブロックセットサイズと１対１に対応しており、　
　ＵＥ測定報告リストにおいて、一のＴＦＲＣに対応して、当該ＵＥに割り当てられたデフォルトの送信電力値である０ｄＢを含むパワーオフセットが定められており、
　ＵＥは、Ｐ−ＣＰＩＣＨから、ダウンリンクチャネル品質インジケータを測定し、　
  もし、Ｐ−ＣＰＩＣＨから測定されたチャネル品質が、「デフォルトパワーレベルに、ｙｄＢ未満のＨＳ−ＤＳＣＨコードチャネルパワーオフセットを加えた状態で、ＢＬＥＲ閾値未満のＢＬＥＲでＴＦＲＣＸが受信されるだろうけれど、ＴＦＲＣＸ＋１は、ＢＬＥＲ閾値より大きいＢＬＥＲで受信されるであろうこと」を示していれば、ＵＥは、ＴＦＲＣＸと要求されたパワーオフセットｙをネットワークに報告し、」は、　
　本願発明の「上記基地局から受信した信号の品質に応じて、使用すべきトランスポートブロックセットサイズと、上記基地局から当該移動局への送信電力を補正するための上記トランスポートブロックセットサイズに対応した補正値と、を決定する第１の工程及び、
  上記第１の工程で決定したトランスポートブロックセットサイズと補正値とを上記基地局に通知する第２の工程」に相当する。　
　
　以上の点を考慮すれば、両者の一致点・相違点は、次のとおりである。　　
　（一致点）　
「基地局との間で無線通信を行う移動局における送信電力の制御方法であって、　
　上記基地局から受信した信号の品質に応じて、使用すべきトランスポートブロックセットサイズと、上記基地局から当該移動局への送信電力を補正するための上記トランスポートブロックセットサイズに対応した補正値と、を決定する第１の工程、及び、
　上記第１の工程で決定したトランスポートブロックセットサイズと補正値とを上記基地局に通知する第２の工程を備えた、　
送信電力の制御方法。」である点。　
　
　（相違点）　
　本願発明では、上記第１の工程において、上記トランスポートブロックセットサイズが最大値の場合、上記補正値として負の値を選択可能としたのに対して、刊行物１記載の発明では、ＵＥ測定報告リストには、トランスポートブロックセットサイズが最大の７２００であるＴＦＲＣ６については、パワーオフセットが、２ｄＢ、１ｄＢ、０ｄＢの３種類が示されている点。　
　
４．相違点についての検討　
　刊行物２の段落番号【０００２】および刊行物３の段落番号【０００９】、【００２２】−【００２３】の記載から、「移動通信システムにおいて、受信品質が良好であれば、送信電力を下げること」は周知である。　
　したがって、刊行物１記載の発明のトランスポートブロックセットサイズが最大の７２００であるＴＦＲＣ６については、これ以上のトランスポートブロックセットサイズは用意されていないのであるから、補正値が０ｄＢとしてもなお受信品質が良好であれば、さらに送信電力を下げる、換言すれば補正値として負の値が選択できるようにすることは、
当業者が適宜決定すべき設計的事項であったと認められる。　
　
５．結び　
　以上のとおりであるから、本願発明は、本願出願前に頒布された上記刊行物１に記載された発明および周知技術に基づいて当業者が容易に発明をすることができたものであるであるから、特許法第２９条第２項の規定により特許を受けることができない。　
　
　よって結論のとおり審決する。